(57)【要約】【課題】見た目を変化させることができ、消費電力が低く、かつ、快適性や安全性の高い着用物を提供する。【解決手段】着用物１は、人体又は動物が着用する着用物であって、柔軟性を有する材料により構成された本体部１０と、本体部１０の外側に着脱自在に取り付けられた電子ペーパー部２０とを備える。また、本体部１０は、電子ペーパー部２０を取り外した状態であっても、着用が可能に構成されている。よって、着用物１は、見た目を変化させることができ、消費電力が低く、かつ、快適性や安全性を高くできる。【選択図】図１
2020147860.tif 000002
【特許請求の範囲】
【請求項１】
人体又は動物が着用する着用物であって、
柔軟性を有する材料により構成された本体部と、
前記本体部の外側に着脱自在に取り付けられた電子ペーパー部と、
を備える着用物。
【請求項２】
請求項１に記載の着用物において、
前記本体部は、前記電子ペーパー部を取り外した状態であっても、着用が可能に構成されていること、
を特徴とする着用物。
【請求項３】
請求項１又は請求項２に記載の着用物において、
前記電子ペーパー部は、
電子ペーパー層と、
前記電子ペーパー層の表示面に沿って重ねて配置され、パターンが形成されたパターン層と、
を備えること、
を特徴とする着用物。
【請求項４】
請求項３に記載の着用物において、
前記電子ペーパー層は、第１表示色と第２表示色との少なくとも２色の反転表示が可能であり、
前記パターン層は、
前記第１表示色と同一色又は同系色である第１表面色で構成された第１パターンと、
前記第２表示色と同一色又は同系色である第２表面色で構成された第２パターンと、
のうちの少なくとも一方を有すること、
を特徴とする着用物。
【請求項５】
請求項１から請求項４までのいずれかに記載の着用物において、
前記電子ペーパー部の端部には、柔軟性を有する材料によって形成された保護部が設けられていること、
を特徴とする着用物。
【請求項６】
請求項１から請求項５までのいずれかに記載の着用物において、
前記電子ペーパー部は、透明な帯電防止層が重ねて配置されていること、
を特徴とする着用物。
【発明の詳細な説明】
【技術分野】
【０００１】
本発明は、衣服、帽子、靴等、人体又は動物が着用する着用物に関するものである。
【背景技術】
【０００２】
近年、電子ペーパーが実用化されている。電子ペーパーは、表示内容を変更しない場合には、電力を消費しないことから、消費電力が非常に小さい。また、電子ペーパーは、柔軟性を備えていることから、曲面状に曲げることができる。このような特徴を備えることから、電子ペーパーには、様々な用途が考えられる。
【０００３】
特許文献１には、画像表示装置つき衣服が記載されている。
しかし、特許文献１に記載されている画像表示装置は、発光性ポリマーを用いていることから、電力の継続的な供給が必要であり、長時間の着用では、大容量のバッテリー等が必要であった。また、特許文献１の画像表示装置は、発光性ポリマーを用いていることから、通常は、曲面状に曲げることができず、着心地が悪かった。
【先行技術文献】
【特許文献】
【０００４】
【特許文献１】特開２００１−３２１０５号公報
【発明の概要】
【発明が解決しようとする課題】
【０００５】
本発明の課題は、見た目を変化させることができ、消費電力が低く、かつ、快適性や安全性の高い着用物を提供することである。
【課題を解決するための手段】
【０００６】
本発明は、以下のような解決手段により、前記課題を解決する。なお、理解を容易にするために、本発明の実施形態に対応する符号を付して説明するが、これに限定されるものではない。
【０００７】
第１の発明は、人体又は動物が着用する着用物（１）であって、柔軟性を有する材料により構成された本体部（１０）と、前記本体部（１０）の外側に着脱自在に取り付けられた電子ペーパー部（２０）と、を備える着用物（１）である。
【０００８】
第２の発明は、第１の発明に記載の着用物（１）において、前記本体部（１０）は、前記電子ペーパー部（２０）を取り外した状態であっても、着用が可能に構成されていること、を特徴とする着用物（１）である。
【０００９】
第３の発明は、第１の発明又は第２の発明に記載の着用物（１）において、前記電子ペーパー部（２０）は、電子ペーパー層（１５０）と、前記電子ペーパー層（１５０）の表示面に沿って重ねて配置され、パターンが形成されたパターン層（１４０）と、を備えること、を特徴とする着用物（１）である。
【００１０】
第４の発明は、第３の発明に記載の着用物（１）において、前記電子ペーパー層（１５０）は、第１表示色（１３１Ｒ）と第２表示色（１３２Ｒ）との少なくとも２色の反転表示が可能であり、前記パターン層（１４０）は、前記第１表示色（１３１Ｒ）と同一色又は同系色である第１表面色（１４１Ｒ）で構成された第１パターン（１４１）と、前記第２表示色（１３２Ｒ）と同一色又は同系色である第２表面色（１４２Ｒ）で構成された第２パターン（１４２）と、のうちの少なくとも一方を有すること、を特徴とする着用物（１）である。
【００１１】
第５の発明は、第１の発明から第４の発明までのいずれかに記載の着用物（１）において、前記電子ペーパー部（２０）の端部には、柔軟性を有する材料によって形成された保護部（２１）が設けられていること、を特徴とする着用物（１）である。
【００１２】
第６の発明は、第１の発明から第５の発明までのいずれかに記載の着用物（１）において、前記電子ペーパー部（２０）は、透明な帯電防止層（１６０）が重ねて配置されていること、を特徴とする着用物（１）である。
【発明の効果】
【００１３】
本発明によれば、見た目を変化させることができ、消費電力が低く、かつ、快適性や安全性の高い着用物を提供することができる。
【図面の簡単な説明】
【００１４】
【図１】本発明による着用物１の第１実施形態を示す図である。
【図２】電子ペーパー部２０を取り外した状態の本体部１０を示す図である。
【図３】電子ペーパー部２０単体を示す図である。
【図４】着用物１を図１中の矢印Ａ−Ａの位置で切断した断面図である。
【図５】電子ペーパー部２０を制御する構成を示す図である。
【図６】第１実施形態の電子ペーパー本体１００の層構成を示す断面図である。
【図７】第２実施形態の電子ペーパー本体１００−２の層構成を示す断面図である。
【図８】第３実施形態の電子ペーパー本体１００−３の層構成を示す断面図である。
【図９】第４実施形態の電子ペーパー本体１００−４の層構成を示す断面図である。
【発明を実施するための形態】
【００１５】
以下、本発明を実施するための最良の形態について図面等を参照して説明する。
【００１６】
（第１実施形態）
図１は、本発明による着用物１の第１実施形態を示す図である。
なお、図１を含め、以下に示す各図は、模式的に示した図であり、各部の大きさ、形状は、理解を容易にするために、適宜誇張して示している。
また、以下の説明では、具体的な数値、形状、材料等を示して説明を行うが、これらは、適宜変更することができる。
【００１７】
着用物１は、人体が着用する衣服であり、本実施形態では、ベストの形態をしている。
着用物１は、本体部１０と、電子ペーパー部２０とを備えている。
【００１８】
本体部１０は、柔軟性を有する材料により構成されている。より具体的には、本実施形態の本体部１０は、布を用いて構成されている。また、本体部１０には、電子ペーパー部２０が着脱自在に取り付けられている。
図２は、電子ペーパー部２０を取り外した状態の本体部１０を示す図である。
本体部１０は、電子ペーパー部２０を取り外した状態であっても、衣服（ベスト）としての形態が維持されており、着用が可能に構成されている。さらに、本体部１０は、電子ペーパー部２０を取り外すことが可能であるので、洗濯やアイロンがけ等も可能である。
【００１９】
図３は、電子ペーパー部２０単体を示す図である。
電子ペーパー部２０は、本体部１０に対して着脱自在に複数が取り付けられている。本実施形態では、図示するように、上下方向に細長い電子ペーパー部２０が複数並べて配置されている。電子ペーパーは、曲げることができる柔軟性を備えてはいるが、布に比べると剛性が高い。しかし、本実施形態のように複数の電子ペーパー部２０に分けて配置することにより、着用物１の着用感を向上することができる。なお、電子ペーパー部２０は、本体部１０への取り付け位置に応じて、それぞれ外形形状が異なっている。
【００２０】
図４は、着用物１を図１中の矢印Ａ−Ａの位置で切断した断面図である。
電子ペーパー部２０は、電子ペーパー本体１００と、保護部２１とを備えている。
電子ペーパー部２０の端部には、保護部２１が設けられている。この保護部２１は、柔軟性を有する材料によって構成されており、電子ペーパー本体１００の端部を覆っている。本実施形態の保護部２１は、後述する表地１１と同じ布を用いて構成されている。なお、保護部２１は、布に限らず、ゴムや樹脂等、他の素材により構成されていてもよい。電子ペーパー本体１００は、布と比較すると固く、しかも薄いことから、そのまま肌に触れると、着心地がよくない場合がある。保護部２１を設けることにより、電子ペーパー部２０が肌に触れても、着心地を害することを防止できる。また、電子ペーパー本体１００に保護部２１を設けることにより、電子ペーパー本体１００を保護することもできる。
【００２１】
本実施形態では、電子ペーパー部２０は、留め具３１、３２を用いて本体部１０に着脱自在に取り付けられている。留め具３１は、電子ペーパー部２０に固定されており、裏面側に係合部３１ａを有している。留め具３２は、本体部１０に固定されており、表面側（電子ペーパー部２０側）に係合部３２ａを備えている。係合部３１ａと係合部３２ａとは、それぞれ樹脂により構成されており、弾性変形が可能であって、両者を押し付けると係合し、引き離すと係合が解除される。また、本実施形態では、本体部１０は、糸１３により縫い合わされた表地１１と裏地１２とを備えており、留め具３２が肌に直接触れないように、留め具３２の裏面側は、裏地１２によって隠されている。
なお、本実施形態のような留め具に限らず、例えば、ボタン、フック、面ファスナー等、他の構成によって電子ペーパー部２０を本体部１０に取り付ける構成としてもよい。
【００２２】
図５は、電子ペーパー部２０を制御する構成を示す図である。
複数の電子ペーパー部２０は、いずれも制御部４０に有線接続されている。
制御部４０は、バッテリーを内蔵しており、複数の電子ペーパー部２０を統括して制御する。制御部４０は、接続されている全ての電子ペーパー部２０に対して同じ表示制御を行うようにしてもよいし、それぞれの表示切り替えのタイミングをずらすように制御してもよい。
【００２３】
図６は、第１実施形態の電子ペーパー本体１００の層構成を示す断面図である。
第１実施形態の電子ペーパー本体１００は、電子ペーパー層１５０の表示面側に、パターン層１４０が粘着層１４５を介して貼り付けた状態で重ねて配置している。なお、パターン層１４０は、粘着層１４５を設けずに、電子ペーパー層１５０の表示面側に着脱自在な状態で重ねて配置してもよい。
電子ペーパー層１５０は、透明基材１１１及び透明基材１１１上に形成された透明電極１１２を有する透明電極基材１１０、対向基材１２１及び対向基材１２１上に形成された対向電極１２２を有する対向電極基材１２０、透明電極基材１１０及び対向電極基材１２０の間に配置された粒子移動型表示層１３０を備えている。
また、図５に示したように、透明基材１１１及び対向電極１２２への電気的接続を行う配線が、制御部４０から接続されている。なお、制御部４０については、本体部１０の内部（例えば、内ポケットのような部位）に着脱自在に配置してもよいし、外部へ配線を導いて外部に配置してもよい。
【００２４】
本発明における粒子移動型表示層１３０は、粒子移動型表示方式により表示を可能とするものである。粒子移動型表示方式は、正、負に帯電した着色粒子を電気的に移動や回転を起こさせて表示色を変換することで、少なくとも２色に反転表示できる。また、表示色を変換する際の消費電力が少なく、また、表示色をそのまま維持する際には基本的に電力を不要とする特性を持っている。
【００２５】
粒子移動型表示方式による表示装置としては、ツイストボール方式、電気泳動方式１粒子型、電気泳動方式２粒子型、電子粉粒体方式等が挙げられる。
図６では、粒子移動型表示層１３０として、ツイストボール方式による表示を可能とするツイストボール層の場合を例示している。なお、本発明の電子表示体には、図６の例のツイストボール方式に限らず、上述した電気泳動方式１粒子型、電気泳動方式２粒子型、電子粉粒体方式等を用いてもよい。電気泳動方式２粒子型は、例えば、特許第６３５００１６号公報に開示されている。
【００２６】
図６（ａ）、（ｂ）において、粒子移動型表示層１３０は、透明電極基材１１０と対向電極基材１２０との間にかかる電圧により第１表示色１３１Ｒ（図では、白色）と第２表示色１３２Ｒ（図では、黒色）の２色に表示されるものである。
また、本実施形態の電子ペーパー層１５０は、透明電極基材１１０及び対向電極基材１２０が、全面均一に設けられているので、粒子移動型表示層１３０は、基本的には、第１表示色１３１Ｒ（図では、白色）と第２表示色１３２Ｒ（図では、黒色）の２色の表示が、いずれも、全面に渡って均一に行われる。ただし、例えば、上下方向で電位差の変化を与えることにより、一方側から他方側へ徐々に表示色が変化して行く演出をしてもよい。
【００２７】
本発明に用いられる粒子移動型表示層１３０がツイストボール層である場合、ツイストボール層は、ツイストボール１３０Ｔ及び低極性溶媒を含む低極性溶媒層（図示せず）を有している。ツイストボール１３０Ｔは、図６（ａ）、（ｂ）の断面図中の円の半分が黒色、残る半分が白色からなるものを示しており、同様の隣に並ぶものを総称するものである。
【００２８】
本発明に用いられるツイストボールとしては、球状であり、図中の矢印のように回転することによって異なる２色の第１表示色１３１Ｒと第２表示色１３２Ｒを表示するもので、これらの異なる２色の各部が互いに異なる帯電特性を有するものである。ここで、異なる２色としては、例えば、黒色と白色や、赤色と白色、黄色と白色、青と白色、緑色と白色、紫色と白色等の「有彩色相と白色相」、赤色と青色、緑色と黄色他の上記有彩色相同士を組み合わせたもの等の「有彩色相と有彩色相」を挙げることができる。
【００２９】
また、上記ツイストボールは、球状の単分散粒子で、その平均粒子径が体積基準で表して１．０μｍ〜４００μｍの範囲内で、好ましくは、２０μｍ〜２００μｍの範囲内で、さらに好ましくは、５０μｍ〜１２０μｍの範囲内に適宜調製されたものを用いることができる。
【００３０】
本発明に用いられる低極性溶剤としては、上記のツイストボールの回転を円滑にすることができるものであれば特に限定されものではない。ジメチルシリコーンオイル、イソパラフィン系溶媒、及び直鎖パラフィン系溶媒、ドデカン、トリドデカン等の直鎖アルカンを挙げることができる。
【００３１】
本発明に用いられる粒子移動型表示層１３０であるツイストボール層の膜厚としては、ツイストボールを回転させることにより表示を行うことが可能であれば特に限定されるものでないが、５０μｍ〜１０００μｍの範囲内、なかでも１００μｍ〜７００μｍの範囲内、特に２００μｍ〜５００μｍの範囲内であることが好ましい。
【００３２】
パターン層１４０は、粒子移動型表示層１３０の表示部を部分的に隠蔽する不透明な印刷等により構成された第１パターン１４１及び第２パターン１４２を有するパターン層１４０を有している。
パターン層１４０は、透明なフィルム状、又は、シート状の基材１４３上に第１パターン１４１と第２パターン１４２とを設けて、文字、絵柄、写真等の情報内容が示されている層であり、第１パターン１４１及び第２パターン１４２は、印刷法、インクジェット法等によって設けることができる。第１パターン１４１と第２パターン１４２とは、それぞれが異なる表示色を有する。ここでは、第１パターン１４１は、不透明な白色のインキによってフェースマークを表現しており、第２パターン１４２は、不透明な黒色のインキによってハートマークを表現している。
【００３３】
図６（ａ）上の断面図に示すように、第１表示色１３１Ｒは、第１パターン１４１の第１表面色１４１Ｒと同一色もしくは同系色である。この状態では、図６（ａ）下の平面図に示すように、第２表面色１４２Ｒの第２パターン１４２で表現されたハートマークを視認することができる。そして第１表面色１４１Ｒの第１パターン１４１で表現されたフェースマークを視認し難い。
【００３４】
また、図６（ｂ）上の断面図に示すように、第２表示色１３２Ｒは第２表面色１４２Ｒと同一色もしくは同系色である。この状態では、図６（ｂ）下の平面図に示すように、第１表面色１４１Ｒの第１パターン１４１で表現されたフェースマークを視認することができる。そして第２表面色１４２Ｒの第２パターン１４２で表現されたハートマークを視認し難い。
【００３５】
以上の構成により、粒子移動型表示層１３０の２種の表示色の切り替えに応じて、第１パターン１４１で表現されたフェースマークと第２パターン１４２で表現されたハートマークとが、視認性の高い状態と視認性の低い状態とで交互に切り替わり、フェースマークとハートマークとが交互に浮き沈みするように見え隠れする効果を奏する。
【００３６】
以上説明したように、第１実施形態の着用物１は、本体部１０に対して電子ペーパー部２０を着脱自在に設けたので、見た目を変化させることができ、消費電力が低く、かつ、快適性や安全性の高い着用物を提供することができる。また、本体部１０から電子ペーパー部２０を取り外せば、通常の衣服と同様に本体部１０を洗濯したり、アイロンがけしたりすることができる。また、電子ペーパー部２０の一部又は全てを取り換えることが可能であり、見た目の変化をつけることが容易に行える。
また、第１実施形態の着用物１は、電子ペーパー部２０の端部に保護部２１が設けられているので、電子ペーパー本体１００を保護して劣化を防止できる。また、第１実施形態の着用物１は、保護部２１が設けられているので、電子ペーパー本体１００の端部が直接着用者に触れることによって着心地を害したり、着用者に害を及ぼしたりすることを防止できる。さらに、第１実施形態の着用物１は、保護部２１が設けられていることにより、意匠性を向上することができる。
また、第１実施形態の着用物１は、電子ペーパー部２０を複数並べて配置しているので、広い面積に電子ペーパー部２０を設けることができ、かつ、着用物１の着用感を向上することができる。すなわち、電子ペーパー部２０を設ける部分は、例えば、衣類の面積の半分以上や、全面など、広くとることで目立たせることができる。ここで、電子ペーパー部２０を設ける部分を広くすることを通常のディスプレイで行おうとすると、動きにくくなる。しかし、本実施形態では、電子ペーパーを用いることにより、動きやすいものとすることができる。その上、電子ペーパー部２０を設ける部分を広くすると、肌へ接触する可能性が増えるが、その点を保護部２１によって守ることができる。
【００３７】
（第２実施形態）
図７は、第２実施形態の電子ペーパー本体１００−２の層構成を示す断面図である。
第２実施形態の着用物は、電子ペーパー本体１００−２の層構成が、第１実施形態の電子ペーパー本体１００と異なる他は、第１実施形態の着用物１と同様な形態をしている。よって、前述した第１実施形態と同様の機能を果たす部分には、同一の符号を付して、重複する説明を適宜省略する。
【００３８】
第２実施形態の電子ペーパー本体１００−２は、基材１４３を省略して、透明基材１１１上に直接、第１パターン１４１と第２パターン１４２とを設けている。この構成により、電子ペーパー本体１００−２をさらに薄く構成することができ、着用物の重量を軽減できる。
【００３９】
（第３実施形態）
図８は、第３実施形態の電子ペーパー本体１００−３の層構成を示す断面図である。
第３実施形態の着用物は、電子ペーパー本体１００−３の層構成が、第１実施形態の電子ペーパー本体１００と異なる他は、第１実施形態の着用物１と同様な形態をしている。よって、前述した第１実施形態と同様の機能を果たす部分には、同一の符号を付して、重複する説明を適宜省略する。
【００４０】
第３実施形態の電子ペーパー本体１００−３は、パターン層１４０及び粘着層１４５を備えていない。よって、電子ペーパー本体１００−３をさらに薄く構成することができ、着用物の重量を軽減できる。
【００４１】
（第４実施形態）
図９は、第４実施形態の電子ペーパー本体１００−４の層構成を示す断面図である。
第４実施形態の着用物は、電子ペーパー本体１００−４の層構成が、第３実施形態の電子ペーパー本体１００−３と異なる他は、第３実施形態の着用物１と同様な形態をしている。よって、前述した第３実施形態と同様の機能を果たす部分には、同一の符号を付して、重複する説明を適宜省略する。
【００４２】
第４実施形態の電子ペーパー本体１００−４は、透明基材１１１上に透明な帯電防止層１６０を備えている。帯電防止層１６０は、例えば、帯電防止機能を備えたフィルムを不図示の粘着剤を介して貼り合わせてもよいし、透明基材１１１上に帯電防止機能を備えたコーティングを行って構成してもよい。
第４実施形態の着用物は、帯電防止層１６０を備えたことにより、電子ペーパー本体１００−４への帯電を防止でき、埃の付着を防ぐことができる。
【００４３】
（変形形態）
以上説明した実施形態に限定されることなく、種々の変形や変更が可能であって、それらも本発明の範囲内である。
【００４４】
（１）各実施形態において、電子ペーパー層１５０は、２色の切り替えを全面で行う構成を例示した。これに限らず、例えば、電子ペーパー層１５０は、３色以上の切り替えを行う構成であってもよいし、文字や図形の表示が可能なセグメント型やドットマトリックス型の電子ペーパーとして構成してもよい。
【００４５】
（２）各実施形態において、着用物の例として、ベストを例示した。これに限らず、例えば、着用物は、コートでもよいし、帽子や靴等でもよく、また、家畜等の動物が着用する動物用の衣服等であってもよい。
【００４６】
なお、各実施形態及び変形形態は、適宜組み合わせて用いることもできるが、詳細な説明は省略する。また、本発明は以上説明した各実施形態によって限定されることはない。
【符号の説明】
【００４７】
１        着用物
１０      本体部
１１      表地
１２      裏地
１３      糸
２０      電子ペーパー部
２１      保護部
３１      留め具
３１ａ    係合部
３２      留め具
３２ａ    係合部
４０      制御部
１００    電子ペーパー本体
１１０    透明電極基材
１１１    透明基材
１１２    透明電極
１２０    対向電極基材
１２１    対向基材
１２２    対向電極
１３０    粒子移動型表示層
１３０Ｔ  ツイストボール
１３１Ｒ  第１表示色
１３２Ｒ  第２表示色
１４０    パターン層
１４１    第１パターン
１４１Ｒ  第１表面色
１４２    第２パターン
１４２Ｒ  第２表面色
１４３    基材
１４５    粘着層
１５０    電子ペーパー層
１６０    帯電防止層
【図１】
2020147860.tif 000003
【図２】
2020147860.tif 000004
【図３】
2020147860.tif 000005
【図４】
2020147860.tif 000006
【図５】
2020147860.tif 000007
【図６】
2020147860.tif 000008
【図７】
2020147860.tif 000009
【図８】
2020147860.tif 000010
【図９】
2020147860.tif 000011